(57)【要約】【課題】気密性能を高めることができる室内建具を提供する。【解決手段】下ガイドレール１９と、引戸３とを備え、下ガイドレール１９は上面に溝を有し且つ溝の室内側及び室外側に気密材２１、２３を有し、引戸３は、その下端に引戸３の左右方向の略全長に亘って設けたガイド部材２９と、ガイド部材２９の取付け位置を見込み方向で調整する操作部５３とを有し、操作部５３は引戸３の側面に設けてあり、ガイド部材２９は下ガイドレール１９の溝内に配置して、室内側及び室外側の気密材２１、２３に当接している。【選択図】図１
2014224409.tif 000002
【特許請求の範囲】
【請求項１】
下ガイドレールと、引戸とを備え、下ガイドレールは上面に溝を有し且つ溝の室内側及び室外側に気密材を有し、引戸は、その下端に引戸の左右方向の略全長に亘って設けたガイド部材と、ガイド部材の取付け位置を見込み方向で調整する操作部とを有し、操作部は引戸の側面に設けてあり、ガイド部材は下ガイドレールの溝内に配置して、室内側及び室外側の気密材に当接していることを特徴とする室内建具。
【発明の詳細な説明】
【技術分野】
【０００１】
本発明は、室内の部屋の戸や、間仕切り等の室内建具に関する。
【背景技術】
【０００２】
特許文献１には、引戸の下端に設けた戸車で引戸が下ガイドレールを移動する室内建具が開示されている。
【先行技術文献】
【特許文献】
【０００３】
【特許文献１】特開２０１２−２１５００８号公報
【発明の概要】
【発明が解決しようとする課題】
【０００４】
しかし、特許文献１の室内建具は、引戸の下端に気密材がなく、気密性を高めるものではない。
これに対して、近年、室内建具の気密性能を高めたいという要求がある。
【０００５】
そこで、本発明は、気密性能を高めることができる室内建具の提供を目的とする。
【課題を解決するための手段】
【０００６】
請求項１に記載の発明は、下ガイドレールと、引戸とを備え、下ガイドレールは上面に溝を有し且つ溝の室内側及び室外側に気密材を有し、引戸は、その下端に引戸の左右方向の略全長に亘って設けたガイド部材と、ガイド部材の取付け位置を見込み方向で調整する操作部とを有し、操作部は引戸の側面に設けてあり、ガイド部材は下ガイドレールの溝内に配置して、室内側及び室外側の気密材に当接していることを特徴とする室内建具である。
【発明の効果】
【０００７】
請求項１に記載の発明では、ガイド部材の取り付け位置を見込み方向で調整することにより、室外側気密材と室内側気密材との適切な当接を図り、室内建具の気密性を高めることができる。また、ガイド部材と、室外側気密材及び室内側気密材との適切な当接を図ることにより、ガイド部材と各気密材との接触圧の調整ができるから、引戸の開閉不良を防止できる。
ガイド部材の取り付け位置を調整する操作部が、引戸の側面に設けてあるから、例えば引戸の下側に操作部がある場合と比較して、操作部を目視により確認しやすいので操作性が良い。
【図面の簡単な説明】
【０００８】
【図１】本発明の実施の形態にかかる室内建具の下部を戸尻側から見た側面図であり、（ａ）はガイド部材の取り付け位置を見込み方向中央にした標準状態の図であり、（ｂ）はガイド部材の取り付け位置を標準状態よりも室内側にした状態の図であり、（ｃ）はガイド部材の取り付け位置を標準状態よりも室外側にした状態の図である。
【図２】図１（ａ）に示すガイド部材を取り付ける前の状態を示す側面図である。
【図３】本発明の実施の形態にかかる室内建具を図４（ｂ）に示すＡ−Ａ位置で切断して示す縦断面図である。
【図４】本発明の実施の形態にかかる室内建具の横断面図であり、（ａ）は引戸が閉じる直前の図であり、（ｂ）は引戸を閉じた状態を示す図である。
【図５】図４（ａ）示すＢ部を拡大して示す図であり、（ｂ）は図４（ｂ）に示すＣ部を拡大して示す図である。
【図６】ガイド取付部材の図であり、（ａ）は側面図、（ｂ）は正面図であり、（ｃ）は平面図である。
【図７】ガイド部材の側面図である。
【図８】戸尻側に設けたガイド部材キャップの図であり、（ａ）は左（室内側から見て左）側面図、（ｂ）は平面図、（ｃ）は室外側から見た正面図、（ｄ）は右（室内側から見て右）側面図である。
【発明を実施するための形態】
【０００９】
以下に、添付図面を参照して本発明の実施の形態について説明する。
図３及び図４に示すように、本実施の形態に係る室内建具１は、建物の部屋に設けた片引戸であり、引戸３と、上枠５と、戸先枠（竪枠）７と、戸尻枠９と、戸先枠７と戸尻枠９との間に設けた方立１１とを備えており、戸尻枠７と方立１１との間には戸袋１３が形成してある。引戸３は、木製戸である。
上枠５には、引戸３を垂下してその移動を案内する上ガイドレール１５が設けてあり、床１７には、下ガイドレール１９が設けてある。
図１及び図３に示すように、下ガイドレール１９は、上面に溝を有し、溝の室内側壁１９ａに室内側気密材２１が取付けてあり、室外側壁１９ｂには室外側気密材２３が取付けてある。室内側気密材２１及び室外側気密材２３は各々下ガイドレール１９の長手方向略全体に亘って配置されている。
【００１０】
図３に示すように、引戸３は、上端に戸車２５が取付けてあり、戸車２５を上ガイドレール１５に走行可能に係合してある。引戸３の上端にはその室外側に上ガイドレール１５に当接する上気密材２７が引戸の左右方向の略全長に亘って取付けてある。この上気密材２７は、湾曲したひれ状に設けてあり、ひれの弾性復帰力で上ガイドレール１５に当接している。
引戸３の下端には、下ガイドレール１９の溝内に配置したガイド部材２９が設けてある。ガイド部材２９は、引戸３の左右方向の略全長に亘って取付けてある。
図２に示すように、引戸３の下端には、引戸３の左右方向の略全長に亘ってガイド部材取付溝３０が形成してある。このガイド取付溝３０の溝幅Ｈは、後述するガイド部材２９の固定部３１の見込み寸法ｈよりも大きくしてある。
図２及び図７に示すように、ガイド部材２９は、上端部に設けた固定部３１と、固定部３１の下側に設けた位置決め部３２と、位置決め部３２の下方に突設する室内側突設部３３ａと室外側突設部３３ｂとを備えている。ガイド部材２９はアルミニウム形材であり、固定部３１は、タッピングホールである。図２に示すように、固定部３１は、ガイド部材取付溝３０内に挿入してある。位置決め部３２は、室内側及び室外側に各々突設してあり、引戸３の下端面３ｃに当接して、ガイド部材２９の上下方向の取付け位置を位置決めしている。図３に示すように、室内側突設部３３ａと室外側突設部３３ｂは、間隔をあけて略平行に突設して、下ガイドレール１９の溝内に位置している。
図１及び図３に示すように、室内側突設部３３ａの室内側面は下ガイドレール１９に設けた室内側気密材２１に当接してあり、室外側突設部３３ｂの室外側面は室外側気密材２３に当接している。
【００１１】
図１に示すように、ガイド部材２９の戸先側端と戸尻側端には、各々ガイド部材キャップ３５が装着してある。ガイド部材キャップ３５は、図１及び図８に示すように、ガイド部材２９の室内側突設部３３ａと室外側突設部３３ｂを覆う被覆部３７と縦気密材受け３９とが設けてあり、縦気密材受け３９は引戸３の室外側に突設して形成されている。この気密材受け３９は後述する縦気密材４１の下端を受けるものである。尚、図８は、戸尻側のガイド部材キャップ３５を示しているが、戸先側のガイド部材キャップには同種のものが用いられているので、その図は省略する。
【００１２】
図１及び図２に示すように、引戸３の戸尻側側面３ｂ（図４参照）の下側には、ガイド取付部材４３が、引戸３に形成してあるガイド取付け溝３０の端を覆って、ねじ４５で固定してある。尚、図示していないが、引戸の戸先側側面３ａにも同様にガイド取付部材４３が固定してある。
図６に示すように、ガイド取付部材４３は、上下に間隔をあけて設けた２つのねじ挿通孔４７と、引戸３の見込み方向に長い長孔状の操作孔４９が形成してある。図１に示すように、ガイド取付部材４３の操作孔４９と、操作孔４９に挿通する操作ねじ５１とで操作部５３を構成している。操作部５３では、操作ねじ５１を操作孔４９に挿通してガイド部材２９の固定部３１に螺合して仮止めした状態で、操作孔４９の長手方向（引戸の見込み方向）で位置を調整した後に、操作ねじ５１締め付けることにより、ガイド部材２９をガイド取付部材４３に固定してある。
【００１３】
図４に示すように、引戸３の戸尻側端部の室外側面には、縦気密材４１を保持する気密材保持溝５５が上下方向に亘って形成してあり、気密材保持溝５５には縦気密材４１が装着されている。図１に示すように、この縦気密材４１の下端は、ガイド部材キャップ３５の縦気密材受け３９の上に配置してある。
方立１１は、断面略四角形状を成しており、戸尻側の室内側部には、室内側を向いた傾斜面５７が形成されており、図４（ｂ）に示すように、引戸３を閉じた状態でこの傾斜面５７に縦気密材４１が面で当接するようにしてある。
【００１４】
図４（ａ）に示すように、戸先枠７には、見込み面に戸杓り６１が形成されている。図４及び図５に示すように、戸杓り６１の室外側には、上下方向に亘って戸杓り気密材６３を取付ける気密材取付部６５が形成されている。
気密材取付部６５は、戸杓り６１の底部６１ａよりも深く掘り下げた気密材保持部６７と、受け部７１とが形成されている。受け部７１は戸杓り６１の底部６１ａよりも凹んで形成してある。
戸杓り気密材６３は、被保持部７３と、側壁側部７５、見込み方向突出部７７とを一体に有しており、被保持部７３が戸杓りの底部６１ａに設けた気密材保持部６７に嵌合して保持されている。
側壁側部７５の先端部（引戸側部）には、戸杓り６１の室外側側壁６１ｂと戸先枠７の室外側見込み面７ａとのコーナー部に係止する位置決め部７９が形成してある。
側壁側部７５の基端部側（被保持部７３側）には、見込み方向に突設した底当接部６９が形成してあり、底当接部６９は戸杓り６１の受け部７１に当接してある。底当接部６９には被保持部７３側に向けて突設する突起６９ａが形成してある。
見込み方向突出部７７は、側壁側部７５から見込み方向室内側に突設してあり、屈曲し易いように厚みを薄くした第１屈曲案内部８１が形成されている。また、見込み方向突出部７７の側壁側部７５側には、厚みを薄くして、見込み方向突出部７７が戸杓り６１の底部６１ａ側に向けて屈曲するのを容易にした第２屈曲案内部８３が形成されている。
また、側壁側部７５と、被保持部７３及び底当接部８０と、の間には厚みを薄くした第３屈曲案内部８５が形成されている。
【００１５】
次に、本実施の形態にかかる室内建具１の作用及び効果について説明する。まず、引戸３の下端に取り付けるガイド部材２９の取り付け及び操作部５３によるガイド部材２９の位置調整について説明する。
図２に示すように、引戸３の戸尻側側面３ｂの下部にガイド取付部材４３をねじ４５で固定し、引戸３の下端に形成したガイド取付溝３０の左右の一端を塞ぐ。同様に、戸先側側面３ａにもガイド取付部材４３を固定してガイド取付溝３０の左右の他端を塞ぐ。
その後、ガイド部材２９の左右方向両端部に各々ガイド部材キャップ３５を装着し、ガイド部材２９の固定部３１をガイド取付溝３０内に挿入する。すると、ガイド部材２９の位置決め部３２が引戸３の下端面３ｃに当接する位置で固定部３１のタッピングホールが、各ガイド取付部材４３の操作孔４９と一致するので、これに操作ねじ５１を挿通して、操作ねじ５１を固定部３１に螺合してガイド部材２９を仮止めする。
そして、図１（ａ）〜（ｃ）に示すように、操作ねじ５１を仮止めした状態で、見込み方向におけるガイド部材２９の位置を図１（ａ）に示すように操作孔４９の見込み方向中間位置にしたり、図１（ｂ）に示すように、ガイド部材２９を室内側へ寄せたり、図１（ｃ）に示すように室外側に寄せることで、ガイド部材２９と室内側気密材２１及び室外側気密材２３との当接状態を調整し、調整後に操作ねじ５１を締め付けて固定する。
また、引戸３の使用開始後に建て付け調整するときも、戸先側と戸尻側の操作ねじ５１をゆるめて、見込み方向に調整した後、操作ねじ５１を締め付けるだけの簡単な操作で調整できる。
【００１６】
図５（ａ）に示すように、戸杓り気密材６３の取付けは、被保持部７３を戸杓り６１の室外側に設けてある気密材保持部６７に圧入すると共に位置決め部７９を戸杓り６１の室外側側壁６１ｂと戸先枠７の見込み面７ａとが成す角部に係止する。位置決め部７９は、戸杓り６１に取り付ける前は、側壁側部７５に対して鋭角を成しているので、戸杓りに取り付けるときには側壁側部７５に対する角度を広げるようにして角部に係止する。また、底当接部６９を受け部７１に当接させて配置する。尚、見込み方向突出部７７は、戸杓り６１の底部６１ａとの間に間隔Ｓをあけて突設している。
【００１７】
図４（ｂ）に示す引戸の閉じ状態について、図３に示すように、引戸３の下端では、その戸先側から戸尻側略全体に亘って、ガイド部材２９に室内側気密材２１及び室外側気密材２３が当接して室内側と室外側との間が気密に保持される。
【００１８】
一方、引戸３の戸先側では、図５（ａ）（ｂ）に示すように、引戸３を閉じるときに、引戸３が戸杓り気密材６３の見込み方向突出部７７を押すと共に見込み方向突出部７７が変形してその先端側が戸杓り６１の底部６１ａ側に当接する。これにより、引戸３と戸先枠（竪枠）７との間では、引戸３と戸先枠７との間を気密に保持すると共に、戸杓り気密材６３の見込み方向突出部７７及び側壁側部７５と、戸杓りの底部６１ａとで囲む空気層８６を形成する。
【００１９】
図４（ｂ）に示すように、引戸３の戸尻側にある方立１１では、その傾斜面５７に縦気密材４１が面で当接し、引戸３と方立１１との間を気密に保持する。
また、図３に示すように、引戸３の上端に設けた上気密材２７が上ガイドレールに１５に当接して上ガイドレールと引戸３との間を気密に保持する。
【００２０】
本実施の形態によれば、図１に示すように、操作部５３の操作により、ガイド部材２９の取り付け位置を見込み方向で調整することで、室内側気密材２１と室外側気密材２３との適切な当接を図り、室内建具の気密性を高めることができる。
また、ガイド部材２９と、室内側気密材２１及び室外側気密材２３との適切な当接を図ることにより、ガイド部材２９と各気密材２１、２３との接触圧の調整ができるから、開閉不良を防止できる。
操作部５３は、引戸３の戸先側側面３ａ及び戸尻側側面３ｂに設けてあるから、例えば引戸３の下側に操作部がある場合と比較して、操作部を目視により確認しやすいので操作性が良い。
【００２１】
操作部５３は、見込み方向に長い操作孔４９と操作ねじ５１とで構成してあるから、操作ねじ５１をガイド部材２９に仮止めした状態で、見込み方向に操作ねじ５１を調整して締め付ければよいので、操作部５３の構成が簡易で且つ調整が容易である。
引戸３の下端には略全長に亘って、下方に向けて開口したガイド取付溝３０が形成してあり、ガイド部材２９にはガイド取付溝３０に挿入する際に引戸３の下端に当接する位置決め部３２が設けてあるので、ガイド部材２９の上下方向の位置決めが容易にできる。
ガイド部材２９の左右端にはガイド部材キャップ３５を設けているので、ガイド部材２９の小口が室内側気密材２１及び室外側気密材２３を損傷するのを防止できる。また、ガイド部材２９の小口がガイド部材キャップ３５で覆われているので、小口に指が触れて怪我をすることがない。
ガイド部材２９に設けたガイド部材キャップ３５には、縦気密材受け３９が設けてあり、縦気密材４１の下端を受けているので、縦気密材４１の脱落を防止できる。また、別に縦気密材４１を固定する部品やかしめ等が不要であるので、縦気密材４１の取付けを簡易にできる。
ガイド部材２９はその固定部３１をタッピングホールとしているので、押し出し形材を用いることにより別にねじ螺合孔を形成する必要がなく、ガイド部材２９の製造が容易にできる。
ガイド部材２９は室内側突設部３３ａと、室外側突設部３３ｂとを間隔をあけて設けていると共に室内側突設部３３ａに室内側気密材２１を当接し、室外側突設部３３ｂに室外側気密材２３を当接させているので、下ガイドレール１９の溝幅を広くして下ガイドレール１９の溝底をねじ等で固定することが容易にできると共に、ねじ等による固定具が室内側突設部３３ａ、室外側突設部３３ｂ、室内側気密材２１及び室外側気密材２３で見え難くしているので、意匠性が良い。
【００２２】
図３及び図４に示すように、引戸３の下側はガイド部材２９と室内側気密材２１及び室外側気密材２３との間で気密に保持し、引戸３の上側は上気密材２７と上ガイドレール１５との間で気密に保持し、引戸３の戸先側は戸杓り気密材６３と戸先枠７との間で気密に保持し、引戸３の戸尻側は方立１１と縦気密材４１とで気密に保持して、引戸３の四周を気密材２１、２３、２７、６３で気密にしているので、室内建具１の気密性を高めることができる。
戸先枠７に設けた戸杓り気密材６３、引戸３の戸尻側に設けた縦気密材４１、引戸３の上に設けた気密材２７は、各々引戸３の室外側に配置しているので、引戸３の室外側からこれらの装着及びメンテナンスができるので、装着及びメンテナンスがし易い。
図４に示すように、方立１１には、戸尻枠９側で且つ室内側のコーナー部に室内側を向いた傾斜面５７を形成して、引戸３を閉じたときには、この傾斜面５７に引戸３の戸尻側に設けた縦気密材４１を当接させているので、縦気密材４１を面で接触させることができるので、方立１１と縦気密材４１との間の気密性を高めることができる。
見込み方向突出部７７は、見込み方向に突出するものであれば、戸杓り６１の底方向に曲がるなどしていても良いが、本実施の形態のものは見込み方向に略まっすぐに突出しているので、引戸３を閉めたときに、引戸３に当たる力（弾性復元力）が大きくなる。
【００２３】
図５に示すように、引戸３を閉じたときに、引戸３と戸先枠（竪枠）７との間で戸杓り気密材６３の見込み方向突出部７７が引戸３に押されて柔軟に変形することで、引戸３と戸先枠７との間に隙間ができ難く、気密性を高めることができる。
戸杓り気密材６３の見込み方向突出部７７は、戸杓り６１の底部６１ａと間隔Ｓを空けて配置されているので、引戸３の閉まる速度が速すぎて、引戸３が戸杓りの底部６１ａに当たって反発することで底部６１と隙間が空いた場合でも、その隙間の幅が間隔Ｓよりも小さければ、見込み方向突出部７７と引戸３との間の気密は保たれる。
また、戸杓り気密材６３の見込み方向突出部７７と、側壁側部７５と、戸杓りの底部６１ａとで囲む空気層８６を形成し、音の振動を空気層８６で遮断することができるので、防音性能を高めることができる。
更に、引戸３を閉じたときに、引戸３の戸先が戸杓り気密材６３の見込み方向突出部７７が引戸３と戸杓り６１の底部６１ａとの間に挟まれているので、引戸３の戸先が見込み方向突出部７７の振動を抑えることができるから、見込み方向突出部７７から空気層８６に伝わる音の振動を抑制できる。
また、見込み方向突出部７７は、引戸３と戸杓りの底部６１ａに挟まれるので、建付け調整や引戸３の反りにより、引戸３が見込み方向に移動しても、戸杓り気密材６３との間に隙間が生じたり、引戸３と戸杓り気密材６３が強く当たりすぎたりすることがない。
尚、本実施の形態では、空気層８６を、戸杓り気密材６３の側壁側部７５と見込み方向突出部７７と底当接部６９と、戸杓り底部６１ａとで形成しているが、戸杓り６１の底部６１ａ側は、これに限らず、例えば、見込み方向に延ばした底当接部６９に見込み方向突出部７７が当接して、空気層８６を形成するものであっても良い。
【００２４】
戸杓り気密材６３の被保持部７３を戸杓り６１の気密材保持部６７に圧入する方向は、引戸３が閉じる際の移動方向と同じなので、引戸３の閉じ動作によって引戸３が繰り返し戸杓り気密材６３に当接しても戸杓り気密材６３は脱落しない。
戸杓り６１の気密材保持部６７は通常の引戸の戸杓りに溝を設けることにより形成することができるものであり、戸杓り気密材６３を取り付ける為の新たな部材等が不要なのでコストを抑えることができる。
戸杓り気密材６３は、位置決め部７９を戸杓り６１の室外側側壁６１ｂの角部に係止すると共に、底当接部６９が戸杓り６１の受け部７１に当接することで位置決めができるので、戸杓り気密材６３の取付け位置を深くし過ぎたり、浅くし過ぎるのを防止でき、突起６９ａによって見込み方向も位置決めされるので、戸杓り気密材６３による気密不良を防止できる。
戸杓り気密材６３は、第１屈曲部８１、第２屈曲部８３、第３屈曲部８５を肉薄にして屈曲を案内しているので、変形が容易にでき気密性を保持し易い。
【００２５】
本発明は、上述した実施の形態に限らず、本発明の要旨を逸脱しない範囲で種々変形可能である。
例えば、室内建具１は、クローゼットや間仕切り等の室内建具であってもよい。
引戸３は、木製戸に限らず、アルミ形材で枠組みしたものであっても良く、材質は制限されない。
室内建具１には、複数枚の引戸３を設けても良く、この場合、戸杓り気密材６３は、戸尻枠９に設けるものであっても良い。
【符号の説明】
【００２６】
１      室内建具
３      引戸
１９    下ガイドレール
２１    室内側気密材
２３    室外側気密材
２９    ガイド部材
５３    操作部
【図１】
2014224409.tif 000003
【図２】
2014224409.tif 000004
【図３】
2014224409.tif 000005
【図４】
2014224409.tif 000006
【図５】
2014224409.tif 000007
【図６】
2014224409.tif 000008
【図７】
2014224409.tif 000009
【図８】
2014224409.tif 000010